(57)【特許請求の範囲】
【請求項１】
排水口に配置され、形成された通水孔へ排水を通水させるとともに該排水中の混入物を捕捉する凹状の捕捉部と、
前記捕捉部の上端部外縁から張り出して環状とされ、外周部上端が前記捕捉部の上端よりも上方に位置すると共に上面の少なくとも一部が前記外周部上端側から下方へ傾斜する鍔部と、
前記鍔部上面の傾斜部分から上方に突出すると共に平面視で根元部が前記鍔部の径方向に対して交差するように延在し、前記根元部の延在方向の一端部よりも他端部が低い位置に配置された取手部と、
を有する混入物捕捉具。
【請求項２】
前記取手部の頂面は、前記根元部の延在方向の一端部側に対応する部分が前記傾斜部分に向って傾斜して該傾斜部分に連なっている請求項１に記載の混入物捕捉具。
【請求項３】
前記取手部は、前記外周部上端側から前記捕捉部側へ延びる排水導入部と、前記排水導入部の前記捕捉部側の端部から前記鍔部の周方向に延びる排水進入方向転換部と、を有する請求項１または請求項２に記載の混入物捕捉具。
【請求項４】
前記排水進入方向転換部は、延在方向の端部側が前記捕捉部側に向って次第に傾斜している請求項３に記載の混入物捕捉具。
【請求項５】
前記捕捉部の上端部外縁に沿って前記鍔部に形成された環状の旋回流路を有する、請求項１〜４のいずれか１項に記載の混入物捕捉具。
【請求項６】
前記鍔部に形成され、前記鍔部の外部から前記旋回流路へ排水を流入させ、前記旋回流路に旋回流を発生させる流入路を有する、請求項５に記載の混入物捕捉具。
【発明の詳細な説明】
【技術分野】
【０００１】
本発明は、排水口に取り付けられて、排水から混入物を捕捉する混入物捕捉具に関する。
【背景技術】
【０００２】
一般に、浴室や洗面台等の排水口には、捕捉網により混入物を排水中から捕捉するヘアキャッチャーが取り付けられている（例えば、特許文献１）。
【０００３】
特許文献１に開示のヘアキャッチャー（排水目皿）では、混入物（例えば、毛髪など）を捕集するための捕集部の周囲に形成されたフランジ部に、起立状に取手部を設けている。この取手部は、上面をフランジ部の最上面に向って徐々に高さを下げながら該最上面に連ならせることで、排水などとともに流れてきた毛髪などの引っ掛かりを抑制している。
【先行技術文献】
【特許文献】
【０００４】
【特許文献１】特開２０１０−２７５７１８号公報
【発明の概要】
【発明が解決しようとする課題】
【０００５】
しかしながら、特許文献１では、排水の進入方向（目皿部の径方向）から見て、取手部が左右対称形状とされていることから、取手部に向って流れ込む排水が左右両側に均等に引き込まれるため、毛髪などの混入物が取手部に絡み付く虞がある。
【０００６】
本発明は、排水に混入した混入物が取手部に引っ掛るのを抑制することを課題とする。
【課題を解決するための手段】
【０００７】
請求項１に記載の発明は、排水口に配置され、形成された通水孔へ排水を通水させるとともに該排水中の混入物を捕捉する凹状の捕捉部と、前記捕捉部の上端部外縁から張り出して環状とされ、外周部上端が前記捕捉部の上端よりも上方に位置すると共に上面の少なくとも一部が前記外周部上端側から下方へ傾斜する鍔部と、前記鍔部上面の傾斜部分から上方に突出すると共に平面視で根元部が前記鍔部の径方向に対して交差するように延在し、前記根元部の延在方向の一端部よりも他端部が低い位置に配置された取手部と、を有する混入物捕捉具である。
【０００８】
請求項１に記載の発明では、取手部を、平面視で根元部の少なくとも一部が鍔部の径方向に対して交差するように延ばし、かつ根元部の延在方向の一端部よりも他端部が低い位置に配置されるように鍔部の傾斜部分に形成していることから、取手部に向って流れ込む排水が根元部の一端部側（高い側）から他端部側（低い側）へ傾斜部分に沿って流れやすくなる。すなわち、上記構成の取手部によれば、該取手部に流れ込む排水の左右の引き込み力を偏らせることができ、排水を一方向に流しやすくすることができる。
このように、取手部に向って流れ込む排水を一方向に流しやすくすることで、例えば、取手部に向って流れ込む排水を左右均等に流すものと比べて、該排水に混入した混入物（例えば、毛髪など）の取手部への引っ掛りや滞留を抑制することができる。
【０００９】
請求項２に記載の発明は、請求項１に記載の発明において、前記取手部の頂面は、前記根元部の延在方向の一端部側に対応する部分が前記傾斜部分に向って傾斜して該傾斜部分に連なっている、混入物捕捉具である。
【００１０】
請求項２に記載の発明では、取手部の頂面の根元部の延在方向の一端部側に対応する部分を、傾斜部分に向って傾斜させて該傾斜部分に連ならせていることから、取手部に向って流れ込む排水に混入した混入物が取手部の頂面にスムーズに乗り上がりやすくなると共に取手部を乗り越えやすくなるため、混入物の取手部への絡み付きを抑制することができる。
【００１１】
請求項３に記載の発明は、請求項１または請求項２に記載の発明において、前記取手部は、前記外周部上端側から前記捕捉部側へ延びる排水導入部と、前記排水導入部の前記捕捉部側の端部から前記鍔部の周方向に延びる排水進入方向転換部と、を有する混入物捕捉具である。
【００１２】
請求項３に記載の発明では、取手部に向って流れ込む排水及び該排水に混入した混入物が排水導入部及び排水進入方向転換部にガイドされて一方向にスムーズに流れる。
【００１３】
請求項４に記載の発明は、請求項３に記載の発明において、前記排水進入方向転換部は、延在方向の端部側が前記捕捉部側に向って次第に傾斜している、混入物捕捉具である。
【００１４】
請求項４に記載の発明では、排水進入方向転換部の延在方向の端部側を捕捉部側に向って次第に傾斜させていることから、排水の勢いが弱い（排水の流量が少ない）場合でも、排水及び該排水に混入した混入物が捕捉部側へスムーズに流れる。
【００１５】
請求項５に記載の発明は、請求項１〜４のいずれか１項に記載の発明において、前記捕捉部の上端部外縁に沿って前記鍔部に形成された環状の旋回流路を有する、混入物捕捉具である。
【００１６】
請求項５に記載の発明では、取手部によって一方向への流れが生じた排水を旋回流路へ流れ込ませ、そして、旋回する排水を捕捉部内へ落とし込むことにより、排水に混入した毛髪等の混入物が通水孔に対して倒れた状態でまとめられて捕捉部上面に捕捉される。このため、捕捉した混入物が、立った状態で捕捉部の通水孔に刺さることがなくなって、通水孔に絡み付き難くなる。これにより、混入物捕捉具を清掃する際に、捕捉部から混入物が取り除き易くなる。
【００１７】
請求項６に記載の発明は、請求項５に記載の発明において、前記鍔部に形成され、前記鍔部の外部から前記旋回流路へ排水を流入させ、前記旋回流路に旋回流を発生させる流入路を有する、混入物捕捉具である。
【００１８】
請求項６に記載の発明では、排水を流入路から旋回流路へ流すことによって旋回流路に旋回流が発生するので、鍔部へ流れ込む排水の流量が少ない場合においても、旋回流を発生させることができる。
【発明の効果】
【００１９】
本発明は上記構成としたので、排水に混入した混入物が取手部に引っ掛るのを抑制することができる。
【図面の簡単な説明】
【００２０】
【図１】第１実施形態のヘアキャッチャーの設置状況を示す側断面図である。
【図２】第１実施形態のヘアキャッチャーを示す斜視図である。
【図３】第１実施形態のヘアキャッチャーを示す平面図である。
【図４】第１実施形態のヘアキャッチャーの側面図である。
【図５】図３の５Ｘ−５Ｘ線断面図である。
【図６】第１実施形態のヘアキャッチャーで混入物を捕捉する状況を示す斜視図である。
【図７】第２実施形態のヘアキャッチャーの取手まわりを示す平面図である。
【図８】（Ａ）図７の矢印８Ａ方向から見た取手まわりを示す斜視図である。（Ｂ）図７の矢印８Ｂ方向から見た取手まわりを示す斜視図である。
【図９】第２実施形態のヘアキャッチャーで混入物を捕捉する状況を示す斜視図である。
【発明を実施するための形態】
【００２１】
（第１実施形態）
図を参照しながら、本発明に係る第１実施形態の混入物捕捉具について説明する。
【００２２】
本発明の第１実施形態では、図１に示すように、浴室１０の洗い場１２に設けられた排水枡１４に、本発明の混入物捕捉具の一例としてのヘアキャッチャー１６を取り付けた例を説明する。なお、図中の矢印Ｕ方向は上方、矢印Ｄ方向は下方を示している。
【００２３】
浴室１０は、浴槽１８と、浴槽１８の隣に設けられ、シャワーや給湯栓等（不図示）が備えられた洗い場１２とによって構成されている。排水枡１４は、洗い場１２を構成する床面２０の浴槽１８側の端部に設けられている。
【００２４】
排水枡１４の天井面に形成された平面視にて略四角形の開口部２２は、平面視にて略四角形の板状のカバー２４により塞がれている。カバー２４は、排水枡１４の四隅に形成された段部２６上に着脱可能に載置されている。カバー２４の側面２８と、排水枡１４の内壁面３０との間には隙間３２が形成されており、床面２０上を流れる排水は、この隙間３２から排水枡１４内へ流入する（矢印３４）。
【００２５】
排水枡１４には、排水トラップ３６が取り付けられている。排水トラップ３６は、トラップ本体３８、中空の締め付けフランジ４０、及び封水筒４２により構成されている。
【００２６】
トラップ本体３８は、上部に形成された平面視にて略円形の排水口４４と、トラップ本体３８の左右に設けられ排水口４４と連通する接続口４６及び排出口４８とを備えている。排水口４４は、トラップ本体３８の上端部に設けられ排水口４４中心へ向かって略水平に張り出すフランジ部５０の先端部に囲まれるようにして形成されている。接続口４６は、接続管（不図示）を介して浴槽１８の防水パン（不図示）に接続されている。排出口４８は、排水管（不図示）を介して下水管（不図示）に接続されている。
【００２７】
封水筒４２は、排水口４４に挿入された状態で、下端面Ｓが、封水面Ｒよりも下側に位置し、且つトラップ本体３８の底面５６との間に隙間を有するようにして配置されている。封水面Ｒは、底面５６上に立設された筒状の側壁５８の上端面に囲まれて形成されている。
【００２８】
よって、排水枡１４から封水筒４２へ流入した排水は、側壁５８によって囲まれた領域Ｔを通って排出口４８へ排出され、浴槽１８の防水パンに接続された接続管から接続口４６へ流入した排水は、領域Ｔを通って排出口４８へ排出される。
【００２９】
排水枡１４の下端部には、排水枡１４の底面に形成された開口部５２中心に向かって略水平に張り出すフランジ部５４が設けられている。そして、フランジ部５４の先端部に取り付けられたパッキン６０を、フランジ部５０とフランジ部５４とで挟み込むようにして、締め付けフランジ４０をフランジ部５０に捩じ込むことによって、排水枡１４に排水トラップ３６を固定している。
【００３０】
封水筒４２は、締め付けフランジ４０の中空部６２に挿入され、封水筒４２の上端部から外側へ張り出すフランジ部６４を締め付けフランジ４０の下端部から中空部６２中心へ張り出すフランジ部６６上に載置した状態で、締め付けフランジ４０に固定されている。この締め付けフランジ４０には、ヘアキャッチャー１６が取り付けられている。
【００３１】
ヘアキャッチャー１６は、樹脂によって一体に成形されており、捕捉部７０、鍔部８０、旋回流路８２、流入路８６、及び取手部１００を有している。
【００３２】
図１、図２に示すように、捕捉部７０は、下方に突出した略半球の凹状に形成されており、湾曲した上面７０Ａと下面７０Ｂとを有している。また、捕捉部７０は、排水口４４に配置されている。図３に示すように、捕捉部７０の略全域には、円形の孔形状を有する複数の通水孔７２が形成されている。通水孔７２は、捕捉部７０を略鉛直に貫通するようにして形成されており、これによって、図６に示すように、混入物としての毛髪Ｈが混入した排水が捕捉部７０の上面７０Ａに流入したときに、排水は通水孔７２を通過して通水され、毛髪Ｈは上面７０Ａに残って捕捉される。
【００３３】
図１、図３に示すように、上面７０Ａには、通水孔７２の周囲に突起７４が１乃至複数（本実施形態では６つ）形成されている。突起７４は、捕捉された毛髪と上面７０Ａとの間に隙間をあけさせて、毛髪が上面７０Ａにへばりつく（付着する）のを抑制させるものである。この突起７４により、清掃時に上面７０Ａにまとめられた毛髪Ｈの除去が容易になる。
【００３４】
図１に示すように、鍔部８０は、捕捉部７０の上端部外縁から略水平に張り出した円環状とされ、外周部８０Ａが締め付けフランジ４０の中空部６２の内壁に固定されている。すなわち、鍔部８０は、締め付けフランジ４０を介して排水口４４に取り付けられている。
【００３５】
図１、図２に示すように、鍔部８０は、外周部上端８０Ｂが捕捉部７０の上端よりも上方に位置している。また、鍔部８０の上面８０Ｃの少なくとも一部は、外周部上端８０Ｂ側から下方に傾斜している（詳細は後述する）。鍔部８０の外周部上端８０Ｂは、ヘアキャッチャー１６を締め付けフランジ４０に取付けた状態において、フランジ４０上面（以下、「排水枡１４の底面１４Ａ」とする）の高さと同じになっている。
【００３６】
図３、図６に示すに示すように、旋回流路８２は、捕捉部７０の上端部外縁に沿って鍔部８０上に略水平に形成された、平面視にて（上方から見て）円環状の流路である。旋回流路８２は、外側（外周部８０Ａ側）が内側（捕捉部７０中心側）よりも高くなる円弧状の横断面を有する段部８４により形成されている。
【００３７】
一方、捕捉部７０の上端部側には、旋回流路８２に連なり、捕捉部７０中心側に向って下り勾配となる平面視で円環状の導水傾斜面７６が形成されている。この導水傾斜面７６には、略鉛直に貫通するように排水孔７８が円周方向に間隔をあけて複数形成されている。
【００３８】
図３に示すように、流入路８６は、鍔部８０上に、旋回流路８２の周方向に対して等間隔に４つ形成されている。この流入路８６は、平面視で旋回流路８２の接線方向に延びる第１導水傾斜面８８と、鍔部８０の外周部上端８０Ｂから第１導水傾斜面８８に向って延びる第２導水傾斜面９０と、第２導水傾斜面９０と鍔部８０の外周部上端８０Ｂとの間に形成される第３導水傾斜面９２とで構成されている。
【００３９】
図３、図６に示すように、第２導水傾斜面９０は、鍔部８０の外周部上端８０Ｂから平面視で鍔部８０の径方向に対して交差するように（本実施形態では略直交方向）に延びる直線部９０Ａと、直線部９０Ａの先端部から旋回流路８２の周方向に沿うように延びて第１導水傾斜面８８につながる曲線部９０Ｂとで構成されている。
この直線部９０Ａは、外周部上端８０Ｂから曲線部９０Ｂに向って下り勾配となっている。一方、曲線部９０Ｂは、第１導水傾斜面８８に向って緩やかに下りつつ、旋回流路８２に向って緩やかに下る下り勾配となっている。なお、直線部９０Ａの下り勾配よりも曲線部９０Ｂの下り勾配がゆるやかになっている。
【００４０】
図３、図６に示すように、第２導水傾斜面９０の曲線部９０Ｂに対応する捕捉部７０側の辺部は、旋回流路８２の段部８４の上端８４Ａと一致している。これにより、第２導水傾斜面９０の曲線部９０Ｂ上を流れる排水を、段部８４の上端８４Ａを介して旋回流路８２に流入させることができる。
【００４１】
第３導水傾斜面９２は、第２導水傾斜面９０と鍔部８０の外周部上端８０Ｂとの間を構成する傾斜面であり、外周部上端８０Ｂから第２導水傾斜面９０に向って下り勾配となっている。また、第３導水傾斜面９２には、鉛直方向に貫通する排水孔９４が鍔部８０の周方向に沿って複数形成されている。なお、本実施形態では、排水孔９４は、第３導水傾斜面９２の上記曲線部９０Ｂに対応した範囲に形成されている。
【００４２】
第１導水傾斜面８８は、図３に示すように、第３導水傾斜面９２の鍔部８０の周方向の辺部９２Ａから旋回流路８２の接線方向に延びて、旋回流路８２（段部８４）になめらかにつながっている。また、第１導水傾斜面８８の上辺部８８Ａは、外周部上端８０Ｂから上記接線方向に沿って、段部８４の上端部に向って下り勾配であり、下辺部８８Ｂは、第３導水傾斜面９２の辺部９２Ａの下端から上記接線方向に沿って、段部８４の下端部に向って下り勾配である。このため、第１導水傾斜面８８は、上辺部８８Ａから下辺部８８Ｂに向って下りつつ、外周部上端８０Ｂ側から旋回流路８２に向って下る下り勾配となっている。
【００４３】
なお、第１導水傾斜面８８の上辺部８８Ａは、隣り合う一方の流入路８６を構成する第２導水傾斜面９０の直線部９０Ａの第３導水傾斜面９２に対して反対側の辺部を構成している。
【００４４】
また、第１導水傾斜面８８には、鉛直方向に貫通する排水孔９６が延在方向に沿って複数形成されている。
【００４５】
図２に示すように、鍔部８０の上面８０Ｃには、外周部上端８０Ｂから下方に傾斜する傾斜部分が形成されている。なお、本実施形態では、上記傾斜部分を第２導水傾斜面９０の直線部９０Ａとしている。
【００４６】
図２、図４に示すように、第２導水傾斜面９０には、該第２導水傾斜面９０から上方に外周部上端８０Ｂを越えて突出する略板状の取手部１００が形成されている。この取手部１００は、隣り合う第１導水傾斜面８８の近傍に形成されている（図５参照）。
なお、本実施形態では、第２導水傾斜面９０が、鍔部８０の上面８０Ｃの外周部上端８０Ｂ側から下方に傾斜している傾斜部分である。
【００４７】
図３に示すように、取手部１００は、平面視で、根元部１００Ａが第２導水傾斜面９０の延在方向に沿って延びている、すなわち、根元部１００Ａが鍔部８０の径方向に対して交差するように延びている。
【００４８】
また、取手部１００は、第２導水傾斜面９０の直線部９０Ａと曲線部９０Ｂに跨るように形成されている。このため、図２に示すように、根元部１００Ａの延在方向の一端部１００Ｂよりも他端部１００Ｃが低い位置に配置される。
【００４９】
図２、図６に示すように、取手部１００は、頂面１００Ｄの根元部１００Ａの延在方向の一端部１００Ｂ側に対応する部分が、第２導水傾斜面９０の直線部９０Ａに向ってなだらかに傾斜（第２導水傾斜面９０の直線部９０Ａに対して４５度以下の傾斜角が好ましい）し、直線部９０Ａに連なっている。
一方、取手部１００は、頂面１００Ｄの根元部１００Ａの延在方向の他端部１００Ｃ側に対応する部分が、第２導水傾斜面９０の直線部９０Ａに向って傾斜し、曲線部９０Ｂに連なっている。
なお、頂面１００Ｄの上記他端部１００Ｃ側に対応する部分よりも、頂面１００Ｄの上記一端部１００Ｂ側に対応する部分の傾斜角がなだらかになっている。
【００５０】
また、根元部１００Ａの一端部１００Ｂは、外周部上端８０Ｂから離間している。
【００５１】
次に、第１実施形態のヘアキャッチャー１６の作用及び効果について説明する。
図１に示すように、洗い場１２の床面２０上を流れ、隙間３２から排水枡１４内へ流入した排水は、まず、排水枡１４の底面１４Ａから鍔部８０に流れ込む。この排水には、混入物としての毛髪Ｈが混入している。
【００５２】
図３、図６に示すように、ヘアキャッチャー１６では、取手部１００を、平面視で根元部１００Ａが鍔部８０の径方向に対して交差するように延ばし、かつ根元部１００Ａの延在方向の一端部１００Ｂよりも他端部１００Ｃが低い位置に配置されるように鍔部８０の傾斜部分（第２導水傾斜面９０上）に形成していることから、鍔部８０に流れ込む排水のうち、取手部１００に向って流れ込む排水の一部が取手部１００の外周部８０Ａ側の壁面１００Ｅで受け止められた後、第２導水傾斜面９０に沿って根元部１００Ａの一端部１００Ｂ側（高い側）から他端部１００Ｃ側(低い側）へ流れる(主流（矢印Ｍ）)。
すなわち、取手部１００によれば、該取手部１００に流れ込む排水の左右の引き込み力を偏らせることができ、排水を一方向に流しやすくすることができる。
このように、取手部１００に向って流れ込む排水を一方向に流しやすくすることで、排水に混入した混入物（例えば、毛髪Ｈなど）の取手部１００への引っ掛りや滞留を抑制することができる。
【００５３】
また、取手部１００に向って流れ込む排水の残りは、取手部１００の壁面１００Ｅで受け止められた後、取手部１００を乗り越える(副流（矢印Ｖ）)。
ここで、根元部１００Ａの頂面１００Ｄの延在方向の一端部１００Ｂ側に対応する部分を、第２導水傾斜面９０に向ってなだらかに傾斜させて該第２導水傾斜面９０に連ならせていることから、取手部１００に向って流れ込む排水に混入した毛髪Ｈが主流Ｍ及び副流Ｖの流れに引き込まれて、取手部１００の頂面１００Ｄにスムーズに乗り上がり、取手部１００を乗り越える（図６参照）。これにより、毛髪Ｈの取手部１００への絡み付きを抑制することができる。
【００５４】
そして、排水は、第２導水傾斜面９０上を第２導水傾斜面９０の延在方向に沿って流れ（矢印Ｌ１方向）、次に、第１導水傾斜面８８で該第１導水傾斜面８８の延在方向に沿った流れ（矢印Ｌ２方向）へ流れる向きを変えて、旋回流路８２に流れ込み、旋回流路８２を旋回する（矢印Ｃ方向）。
【００５５】
次に、旋回流路８２を旋回する排水は、旋回流となって毛髪Ｈを伴いながら導水傾斜面７６を流れて捕捉部７０内へ落とし込まれる。そして、捕捉部７０内へ落とし込まれた排水は、捕捉部７０の上面７０Ａに流入して通水孔７２を通過し、毛髪Ｈは、環状等にまとめられた状態で上面７０Ａに残って捕捉される。また、排水は、捕捉部７０内で保水されることなく、通水孔７２から流出する。
【００５６】
よって、旋回流を生じさせた排水を捕捉部７０内へ落とし込ませることにより、この排水を小さい流入角度（水平面に対する排水の流入方向の角度）で捕捉部７０の上面７０Ａに流入させることができる。これにより、毛髪Ｈが通水孔７２に対して倒れた状態で環状等にまとめられて捕捉部７０の上面７０Ａに捕捉される。すなわち、捕捉した毛髪が、立った状態で捕捉部７０の通水孔７２に刺さることがなくなり、通水孔７２に絡み付き難くなる。これにより、ヘアキャッチャー１６を清掃する際に、捕捉部７０から毛髪が取り除き易くなる。
【００５７】
また、排水を流入路８６から旋回流路８２へ流すことにより、旋回流路８２に一方向の旋回流を発生させるので、ヘアキャッチャー１６へ流れ込む排水の流量が少ない場合においても、旋回流を発生させることができる。
特に、取手部１００に流れ込む排水は、取手部１００によって一部が受け止められて、第２導水傾斜面９０に沿う流れとなるため、旋回流を効率よく発生させることができる。
【００５８】
導水傾斜面７６、第１導水傾斜面８８、及び第３導水傾斜面９２には、それぞれ排水孔７８、排水孔９４、排水孔９６が形成されており、捕捉部７０へ流入しきれずに溢れた排水を排出することができる。
【００５９】
図３に示すように、第１実施形態の取手部１００は、根元部１００Ａの一端部１００Ｂが外周部上端８０Ｂから離間している構成としているが、本発明はこの構成に限定されず、根元部１００Ａの一端部１００Ｂが外周部上端８０Ｂにつながる構成としてもよい。
【００６０】
（第２実施形態）
次に、本発明に係る第２実施形態の混入物捕捉具について図７〜図９を参照しながら説明する。なお、第１実施形態と同一構成には同一符号を付し、その説明は省略する。
【００６１】
図７に示すように、本実施形態のヘアキャッチャー１１０は、取手部１２０の構成以外は、第１実施形態のヘアキャッチャーと同一の構成である。このため、以下では、取手部１２０の構成について説明する。
【００６２】
図７、図８に示すように、取手部１２０は、第２導水傾斜面９０の直線部９０Ａから上方に突出している。この取手部１２０は、隣り合う一方の流入路８６を構成する第１導水傾斜面８８の上辺部８８Ａ近傍に形成されている。
【００６３】
また、取手部１２０は、外周部上端８０Ｂ側から捕捉部７０側に延びる排水導入部１２２と、排水導入部１２２の捕捉部７０側の端部から鍔部８０の周方向、すなわち、第２導水傾斜面９０の延在方向に延びる排水進入方向転換部１２４と、で構成されている。すなわち、取手部１２０は、第３導水傾斜面９２から第２導水傾斜面９０の直線部９０Ａを経由して曲線部９０Ｂへ延びており、根元部１２０Ａの延在方向の一端部１２０Ｂ側が第３導水傾斜面９０上に形成され、他端部１２０Ｃ側が第２導水傾斜面９０の曲線部９０Ｂ上に形成されている。なお、取手部１２０の延在方向の中間部分が直線部９０Ａ上に形成されている。
このため、取手部１２０の根元部１２０Ａの延在方向の一端部１２０Ｂ側よりも他端部１２０Ｃ側が低い位置に配置されている。
【００６４】
図８（Ａ）、図８（Ｂ）に示すように、取手部１２０の頂面１２０Ｄは、根元部１２０Ａの延在方向の一端部１２０Ｂ側に対応する部分、すなわち、頂面１２０Ｄの排水導入部１２２に対応する部分が第３導水傾斜面９２に向ってなだらかに傾斜（第３導水傾斜面９２に対して４５度以下の傾斜角が好ましい）し、外周部上端８０Ｂに連なっている。
【００６５】
次に、第２実施形態のヘアキャッチャー１１０の作用効果について説明する。
なお、本実施形態の作用効果のうち、第１実施形態と同様の作用効果については、その説明を適宜省略する。
【００６６】
図９に示すように、取手部１２０に向って流れ込む排水の一部は、取手部１２０の外周部８０Ａ側の壁面１２０Ｅで受け止められた後、第２導水傾斜面９０に沿って根元部１２０Ａの一端部１２０Ｂ側（高い側）から他端部１２０Ｃ側(低い側）へ流れる(主流（矢印Ｍ）)。
ここで、取手部１２０は、該取手部１２０に向って流れ込む排水及び混入物Ｈを、排水導入部１２２及び排水進入方向転換部１２４を介してスムーズに一方向へ流しやすくすることができる。
【００６７】
また、取手部１２０に向って流れ込む排水の残りは、取手部１２０の壁面１２０Ｅで受け止められた後、取手部１２０を乗り越える(副流（矢印Ｖ）)。
ここで、取手部１２０の頂面１２０Ｄの延在方向の一端部１００Ｂ側（排水導入部１２２側）に対応する部分を、第２導水傾斜面９０の直線部９０Ａに向ってなだらかに傾斜させて外周部上端８０Ｂに連ならせていることから、取手部１２０に向って流れ込む排水に混入した毛髪Ｈが主流Ｍ及び副流Ｖの流れに引き込まれて、取手部１２０の頂面１２０Ｄにスムーズに乗り上がり、取手部１２０を乗り越える（図９参照）。これにより、毛髪Ｈの取手部１２０への絡み付きを抑制することができる。
【００６８】
なお、図７、図８に示すように、第２実施形態では、取手部１２０の頂面１２０Ｄと外周部上端８０Ｂとが連なる構成としているが、本発明はこの構成に限定されず、根元部１２０Ａの一端部１２０Ｂを外周部上端８０Ｂから離間させて頂面１２０Ｄを第２導水傾斜面９０と連ならせる構成としてもよい。
【００６９】
第１実施形態では、取手部１００を鍔部８０に一つ形成しているが、本発明はこの構成に限定されず、取手部１００を鍔部８０に複数形成してもよい。具体的には、複数の流入路８６にそれぞれ取手部１００を形成してもよい。なお、上記構成は、第２実形態のヘアキャッチャー１１０に適用してもよい。
【００７０】
第１実施形態では、取手部１００を第２導水傾斜面９０の延在方向に沿って延ばす構成としているが、本発明はこの構成に限定されず、取手部１００は、根元部１００Ａの他端部１００Ｃ側が次第に捕捉部７０側に向って傾斜する構成としてもよい（図３の二点鎖線で示す部分）。この構成により、取手部１００の壁面１００Ｅで受けた排水を捕捉部７０側にスムーズに流すことができる。なお、ここで言う「次第に傾斜」とは、直線状に傾斜するものも、曲線状に傾斜するものも含んでいる。
また、上記構成については、第２実形態のヘアキャッチャーに適用してもよい。つまり、取手部１２０の根元部１２０Ａの他端部１２０Ｃ側を次第に捕捉部７０側に向って傾斜する、すなわち、排水進入方向転換部１２４の先端部側を次第に捕捉部７０側に向って傾斜する構成としてもよい(図７の二点鎖線で示す部分）。
【００７１】
また、第１実施形態では、浴室１０に設けられた排水口４４に、ヘアキャッチャー１６を設けた例を示したが、他の用途の排水口に設けてもよい。例えば、洗面台、台所の流し台に設けられた排水口にヘアキャッチャー１６を設けてもよい。第２実施形態のヘアキャッチャー１１０も同様に、浴室１０に設けられた排水口４４以外の他の用途の排水口に設けてもよい。
【００７２】
また、第１実施形態のヘアキャッチャー１６では、排水から毛髪Ｈを捕捉することができるが、排水に混入した毛髪以外の混入物を排水から捕捉することもできる。同様に、第２実施形態のヘアキャッチャー１１０も排水に混入した毛髪以外の混入物を排水から捕捉することができる。
【００７３】
また、水以外の液体からなる廃液に対しても第１実施形態のヘアキャッチャー１６及び第２実施形態のヘアキャッチャー１１０を適用することができる。すなわち、廃液口にヘアキャッチャー１６またはヘアキャッチャー１１０を取り付けて、この廃液口へ排出される廃液から混入物を捕捉することができる。
【００７４】
なお、第１及び第２実施形態の流入路８６は、旋回流路８２に一方向（左旋回又は右旋回）の旋回流を発生させるように排水を流入させられるように配置されていればよい。すなわち、流入路８６は、排水が旋回流路８２で左旋回するように配置してもよいし、右旋回するように配置してもよい。また、流入路８６は、鍔部８０上に、いくつ形成してもよい。
【００７５】
また、第１実施形態のヘアキャッチャー１６では、鍔部８０の第２導水傾斜面９０上に取手部１００を形成しているが、本発明はこの構成に限定されず、取手部１００を第１導水傾斜面８８上または第３導水傾斜面９２上に形成してもよい。第２実施形態のヘアキャッチャー１６においても同様に、取手部１２０を第１導水傾斜面８８上または第３導水傾斜面９２上に形成してもよい。
【００７６】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００７７】
１６、１１０        ヘアキャッチャー（混入物捕捉具）
４４                排水口
７０                捕捉部
８０                鍔部
８０Ｂ              外周部上端
８０Ｃ              上面
８２                旋回流路
８６                流入路
１００、１２０      取手部
１００Ａ、１２０Ａ  根元部
１００Ｂ、１２０Ｂ  一端部
１００Ｃ、１２０Ｃ  他端部
１００Ｄ、１２０Ｄ  頂面
１２２              排水導入部
１２４              排水進入方向転換部
【図１】
0005837432.tif 000002
【図２】
0005837432.tif 000003
【図３】
0005837432.tif 000004
【図４】
0005837432.tif 000005
【図５】
0005837432.tif 000006
【図６】
0005837432.tif 000007
【図７】
0005837432.tif 000008
【図８】
0005837432.tif 000009
【図９】
0005837432.tif 000010